(57)【特許請求の範囲】
【請求項１】
建物の窓部外側の開口上端部に、水平な庇を上下二段に配置し、前記窓部を通過して建物内へ直接的に進入しようとする太陽光を該庇によって遮るとともに、該庇の上面に照射された太陽光を前記窓部を通過させて建物内の天井面に反射させる二重庇システムであって、
前記窓部の開口上端部に設けられた第一の庇と、
該第一の庇の下方に間隙を隔てて設けられた第二の庇とを具備し、
前記第一の庇が、前記開口上端部と前記第二の庇との間隙から建物内へ直接的に進入しようとする太陽光を遮るとともに、
前記第二の庇が、建物内へ直接的に進入しようとする太陽光を遮り、且つ上面に照射された太陽光を天井面に反射させることを特徴とする二重庇システム。
【請求項２】
前記第一の庇の前記外壁に垂直な方向の突出寸法がＤで形成され、
前記第二の庇の前記外壁に垂直な方向の突出寸法がＤ〜１．５Ｄで形成されることを特徴とする請求項１記載の二重庇システム。
【請求項３】
前記第一の庇の前記外壁に垂直な方向の突出寸法がＤで形成され、
前記第一の庇と、前記第二の庇との間隙がＤ〜１．５Ｄで設定されることを特徴とする請求項１記載又は請求項２記載の二重庇システム。
【発明の詳細な説明】
【０００１】
【発明の属する技術分野】
本発明は、建物の開口部（特に、窓部）の外側に取り付けられる二重庇システムに関するものである。
【０００２】
【従来の技術】
太陽光を遮る樹木、建物等の隣接していない建物の東面、南面、西面に設けられた窓部からは、太陽光が建物内（室内）に進入する。この場合、例えば室内の窓部近傍に机が配置されていれば、机上には太陽光が照射されて視環境を悪化させる。このような太陽光の進入を阻止するものとして、従来より窓部の開口上端部に庇が設けられている。庇は、開口上端部の外壁から略水平に突出されることで、室内への太陽光の進入領域を、窓側へ後退させることができ、窓部近傍の視環境を改善することができる。また、窓部の室内側の面を覆うカーテン等によっても、太陽光の進入を阻止することができる。特に、近年普及している遮光性のカーテンによれば、太陽光の可視光領域を従来に比べて大幅に遮蔽することができ、太陽光の直接照射による視環境の悪化を防止することができる。
【０００３】
【発明が解決しようとする課題】
しかしながら、従来の庇の場合、窓部の上下方向の開口高さを確保しながら、室内への太陽光の進入領域を、窓側へ後退させるには、庇の突出寸法を大きくしなければならず、高い強度が要求され、構造が大がかりになるとともに、建築デザインを損ねる問題があった。また、太陽光の進入を遮蔽するために、カーテンを閉めた場合、風によるカーテンのゆれが邪魔になり、窓を閉めることになる。これにより室内が暑くなり、空調を行う必要が生じる。即ち、窓開け換気が可能な季節においても、空調を行わなければならない不利が生じる。また、この場合には同時に、カーテンを閉めることによって窓部の照度が低下するので、室内照明も点灯しなければならなくなり、二重の不利が生じることになる。
本発明は上記状況に鑑みてなされたもので、窓部の上下方向の開口高さを確保しつつ、太陽光の進入が防止できることで、建物内の視環境を向上させ、且つ輻射による空調負荷の増大を抑制できるとともに、太陽光の有効利用が可能になり、しかも、建築デザインを損ねることのない二重庇システムを提供することにある。
【０００４】
【課題を解決するための手段】
上記目的を達成するための本発明に係る二重庇システムは、建物の窓部外側の開口上端部に、水平な庇を上下二段に配置し、前記窓部を通過して建物内へ直接的に進入しようとする太陽光を該庇によって遮るとともに、該庇の上面に照射された太陽光を前記窓部を通過させて建物内の天井面に反射させる二重庇システムであって、前記窓部の開口上端部に設けられた第一の庇と、該第一の庇の下方に間隙を隔てて設けられた第二の庇とを具備し、前記第一の庇が、前記開口上端部と前記第二の庇との間隙から建物内へ直接的に進入しようとする太陽光を遮るとともに、前記第二の庇が、建物内へ直接的に進入しようとする太陽光を遮り、且つ上面に照射された太陽光を天井面に反射させることを特徴とする。
【０００５】
この二重庇システムでは、第一の庇と、第二の庇が設けられることで、窓部の上下方向の開口高さが確保されながら、建物内への太陽光の直接進入が防止され、机上に太陽光の照射がなくなり、建物内の視環境が向上する。同時に、輻射による空調負荷の増大も抑制される。また、太陽光が天井面に反射して間接照明に利用され、その分の照明器具の点灯が不要になって、照明エネルギの削減が可能になる。更に、第一の庇と第二の庇とが上下に設けられることで、突出寸法の大きい一枚の庇を用いた場合に比べて、庇の突出寸法を小さく抑えて、同程度の遮光性が得られ、建築デザインが損なわれなくなる。
【０００６】
請求項２記載の二重庇システムは、前記第一の庇の前記外壁に垂直な方向の突出寸法がＤで形成され、前記第二の庇の前記外壁に垂直な方向の突出寸法がＤ〜１．５Ｄで形成されることを特徴とする。
【０００７】
この二重庇システムでは、第一の庇の突出寸法に対し、第二の庇の突出寸法が１〜１．５倍の大きさで形成され、窓部から５００〜６００ｍｍ離れた机上面に太陽光の照射されない視環境が、第二の庇の最小限の突出長で実現される。また、第二の庇の反射に寄与しない無駄な部分がなくなり、所定の反射効率を得る最小限の突出長で第二の庇が形成される。
【０００８】
請求項３記載の二重庇システムは、前記第一の庇の前記外壁に垂直な方向の突出寸法がＤで形成され、前記第一の庇と、前記第二の庇との間隙がＤ〜１．５Ｄで設定されることを特徴とする。
【０００９】
この二重庇システムでは、第一の庇と、第二の庇との間隙が、第一の庇の突出寸法の１〜１．５倍で設定され、第一の庇の突出寸法に対する第一の庇と、第二の庇との間隙が遮光及び反射に最適なものとなる。これにより、日差しの強い時間帯である午前１０〜午後２時までに、二枚の庇間からの太陽光の進入が効率よく防止され、且つ第二の庇に反射させた太陽光が効率よく建物内へ取り込まれるようになる。なお、この間隙が上述の範囲を外れて広すぎる場合には、太陽光が進入してしまい、また、狭すぎる場合には所定の突出寸法を有しながら、十分な遮光が発揮されず、且つ反射光の取り込み量が減少する。
【００１０】
【発明の実施の形態】
以下、本発明に係る二重庇システムの好適な実施の形態を図面を参照して詳細に説明する。
図１は本発明に係る二重庇システムを取り付けた窓部の縦断面図である。建物１の外壁３に形成された窓部５の外側には、水平な第一の庇７と、第二の庇９とが上下に配置されている。第一の庇７と、第二の庇９とは、窓部５の間口方向に長い矩形状で形成される。この第一の庇７と、第二の庇９とは、例えば外壁３に、窓部５を挟んで、外壁３から垂直に突出する不図示の一対のブラケットを設け、このブラケットに長手方向の左右端を支持して取り付けられる。
【００１１】
第一の庇７と、第二の庇９とは、例えばアルミ、ジュラルミン等の軽量金属により枠部を形成し、上面に天板を貼りつける構造とすることができる。また、上述の金属からなる金属板或いは合成樹脂板等に補強リブ等を設けて、板材単体をブラケットに支持する構造としてもよい。
【００１２】
なお、天板又は板材には、視環境を悪化させない程度に太陽光を透過させる複数の小孔又は複数のスリットが形成されてもよい。このような小孔又はスリットを設けることにより、太陽光を遮光しつつ、庇下面を適度に明るくし、暗くなることにより生じる庇下面の重圧感を緩和することができる。また、小孔又はスリットを設けることにより、風圧抵抗も減少させることができる。このような庇下面を適度に明るくする手段としては、小孔、スリットの他、太陽光を適度に透過させる材質（樹脂材等）の天板又は板材を用いるものであってもよい。
【００１３】
第一の庇７は、窓部５の開口上端部に設けられる。第一の庇７は、上面に照射された太陽光を遮る材質で天板又は板材が選定される。第一の庇７の場合、天板又は板材は、太陽光を遮るのみでよく、照射された太陽光を反射させる機能を有さなくともよい。この実施形態による第一の庇７は、外壁３に垂直な方向の突出寸法がＤで形成されている。
【００１４】
第二の庇９は、第一の庇７の下方に、間隙１５を隔てて設けられている。第二の庇９は、上面に照射された太陽光を遮るとともに、照射された太陽光を反射させる機能を有した材質で天板又は板材が選定される。具体的には、第二の庇９の上面に鏡面板等を貼り付けたり、アルミ表面を鏡面仕上げすることにより、高反射率を得ることができる。この第二の庇９は、外壁３に垂直な方向の突出寸法が、第一の庇７の突出寸法の１〜１．５倍、即ち、Ｄ〜１．５Ｄで形成される。また、第一の庇７と、第二の庇９との間隙１５は、第一の庇７の突出寸法の１〜１．５倍、即ち、Ｄ〜１．５Ｄで設定されている。また、第二の庇９は、窓部５を有する部屋の床面から所定の高さＨで配置される。この高さＨは、例えば１８００〜２２００ｍｍの範囲が好適となる。第二の庇９がこの高さＨで配置されることにより、窓部５を通して外を見る際の視線の妨げとなることがない。また、この場合、天井高は、３０００ｍｍ程度であることが好ましい。
【００１５】
この第一の庇７と、第二の庇９との突出寸法の相関関係、及び第一の庇７の突出寸法と、間隙１５との相関関係は、後述する作用で明らかとなるように、太陽光の遮蔽性、及び反射性能を左右する重要な要因となる。
【００１６】
次に、このように構成される二重庇システム２１の作用を説明する。図２は第一の庇と第二の庇との突出寸法が４２０ｍｍである場合の建物内への太陽光進入領域を示した説明図、図３は第一の庇の突出寸法が４２０ｍｍ、第二の庇の突出寸法が６００ｍｍである場合の建物内への太陽光進入領域を示した説明図である。なお、両図において、縦軸Ｙの縮尺は、横軸Ｘの縮尺の略二倍の縮尺で示してある。
【００１７】
二重庇システム２１では、窓部５を通過して建物１内へ直接的に進入しようとする太陽光が、第一の庇７と、第二の庇９によって遮られるとともに、第二の庇９の上面に照射された太陽光が窓部５を通過して建物１内の天井面２３に反射され、間接照明として利用される。
【００１８】
この際、第一の庇７が、窓部５の開口上端部と第二の庇９との間隙から建物内へ直接的に進入しようとする太陽光を遮る。また、第二の庇９が、第一の庇７より下方から建物内へ直接的に進入しようとする太陽光を遮るとともに、上面に照射された太陽光を天井面２３に反射させる。
【００１９】
つまり、第一の庇７と、第二の庇９とが設けられることで、窓部５の上下方向の開口高さが確保されながら、建物１内への太陽光の直接進入が大幅に防止され、机上面２５に太陽光の照射がなくなり、建物１内の視環境が向上するようになっている。同時に、輻射による空調負荷の増大も抑制される。なお、この場合の机上面２５は、床より７２０ｍｍで設定されている。
【００２０】
また、太陽光が天井面２３に反射され、間接照明として利用されることにより、その分の照明器具の点灯が不要になって、照明エネルギも削減されることになる。更に、第一の庇７と、第二の庇９とが上下に設けられることで、突出寸法の大きい一枚の庇を用いた場合に比べて、庇の突出寸法を小さく抑えて、同程度の遮光性が得られようになる。これにより、建築デザインが損なわれなくなる。
【００２１】
そして、第一の庇７の突出寸法に対し、第二の庇９の突出寸法が１〜１．５倍の大きさで形成されることで、窓部５から５００〜６００ｍｍ離れた机上面２５に太陽光の照射されない視環境が、第二の庇９の最小限の突出長で実現される。例えば、図２に示すように、第一の庇７と第二の庇９との突出寸法を同じにした場合には、太陽光の強い時間帯である午前１０〜午後２時までの間に、机上面２５に太陽光の照射されない面２５ａが確保可能になる。更に、図３に示すように、第二の庇９の突出寸法が、第一の庇７の突出寸法（４２０ｍｍ）の略１．４倍（６００ｍｍ）である場合、太陽光の強い時間帯である午前１０〜午後２時までの間に、机上面２５に太陽光の殆ど照射されない面２５ｂが確保可能になる。
【００２２】
また、第一の庇７と、第二の庇９との間に、このような突出寸法の相関関係を持たせることにより、第二の庇９の反射に寄与しない無駄な部分がなくなり、所定の反射効率を得る最小限の突出長で第二の庇９が形成されることになる。
【００２３】
更に、この二重庇システム２１では、第一の庇７と、第二の庇９との間隙１５が、第一の庇７の突出寸法の１〜１．５倍で設定されることにより、第一の庇７と、第二の庇９との間隙１５が遮光及び反射に最適なものとなる。これにより、日差しの強い時間帯である午前１０〜午後２時までに、二枚の庇間からの太陽光の進入が効率よく防止され、且つ第二の庇９に反射させた太陽光が効率よく建物１内へ取り込まれるようになる。
【００２４】
【発明の効果】
以上詳細に説明したように、本発明に係る請求項１記載の二重庇システムは、窓部の開口上端部に第一の庇を設け、この第一の庇の下方に間隙を隔てて第二の庇を設けたので、窓部の上下方向の開口高さを確保しながら、建物内への太陽光の直接進入を防止して、建物内の視環境を向上させることができるとともに、輻射による空調負荷の増大も抑制することができる。また、太陽光を天井面に反射させて間接照明として利用できるので、照明エネルギの省エネも図ることができる。更に、上下に第一の庇と第二の庇とを設けたので、庇の突出寸法を小さく抑えて、太陽光を遮蔽することができ、建築デザインを損ねることがない。
【００２５】
請求項２記載の二重庇システムは、第一の庇の突出寸法をＤで形成し、第二の庇の突出寸法をＤ〜１．５Ｄで形成したので、窓から５００〜６００ｍｍ離れた机上面に影響の生じない視環境を、第二の庇の最小限の突出長で実現することができる。また、第二の庇の反射に寄与しない無駄な部分をなくして、所定の反射効率を得る最小限の突出長で第二の庇を形成することができる。
【００２６】
請求項３記載の二重庇システムは、第一の庇の突出寸法をＤで形成し、第一の庇と、第二の庇との間隙をＤ〜１．５Ｄで設定したので、日差しの強い時間帯に、二枚の庇間からの太陽光の進入が防止でき、且つ第二の庇に反射させた太陽光を効率よく間接照明光として建物内へ取り込むことができる。
【図面の簡単な説明】
【図１】本発明に係る二重庇システムを取り付けた窓部の縦断面図である。
【図２】第一の庇と第二の庇との突出寸法が４２０ｍｍである場合の建物内への太陽光進入領域を示した説明図である。
【図３】第一の庇の突出寸法が４２０ｍｍ、第二の庇の突出寸法が６００ｍｍである場合の建物内への太陽光進入領域を示した説明図である。
【符号の説明】
３…外壁、５…窓部、７…第一の庇、９…第二の庇、１５…間隙、２１…二重庇システム、２３…天井面
【図１】
0003598435.tif 000002
【図２】
0003598435.tif 000003
【図３】
0003598435.tif 000004